(57)【要約】      （修正有）【課題】  現在のトイレットペパーを使用する時はホルダーの押さえ蓋を持ち上げてペパーの前回の切断位置を指先で探し出し引き出して、押さえ蓋のカッターでペパーを横方向に切断していた。本発明は、押さえ蓋に具備させたツマミを上下に作動させたら自動的にペパー出てくる。【解決手段】本体（１）の有する支点（１−１）にて押さえ具（２）には、押さえ具（２）の有するツマミ（５）の上下動作で作動し、押さえ具（２）の保持する保持具（２−２）に具備させた跳ね込み具（３）がペパーの側面を回転させてペパー（７）搬出させ、押さえ具（２−１）の有する」ガイド（４）に作用させ静電気の利用で、ペパー（７）を浮遊させ押し出させる。切断具（２−２）にて使用社は切断し、また、ツマミ（５）上下させればペパーの一部は露出し次の利用者に優しい発明である・【選択図】図−１
2017225789.tif 000002
【特許請求の範囲】
【請求項１】
本体（１）に押さえ具（２）を支持、支点（１−１）で保持され、押さえ具（２）は保持具（２−１）と切断具（２−２）を有し、保持具（２−１）に跳ね込み具（３）を具備し、支点（３−１）支持され跳ね込み具（（３）は凸具（３−２）を有し保持具（２−１）にガイド（４）を支持棒（４−１）させ、押さえ具（２）にツマミ（５）系着させ、ペパー（７）は芯棒（６）にて保持され、壁（１）に固着された事を特徴とした、ペパーホルダー。
【発明の詳細な説明】
【技術分野】
【０００１】従来のトイレにてのペパーの取り出しが押さえ蓋を持ち上げて切断個所を指先で探し出し、引き出して切断する作業が不便で、児童や、高齢者には金属製の切断具で、指先を損傷の懸念が有りペパーの取り出しを本発明は、容易に安心しての使用を提供するペパーホルダーである。
【背景技術】  ペパーホルダーの案件としては、特開２０１２−２５０００５はペパー切断部が乱雑で、次の使用者が不可解を感じ、特開２０１０−５７８７６は切断部が露出しており危険であり、切り離されたペパーが屋外のトイレでは風による影響が有り、特開２００８−１１９２８０は、構造が複雑で、特開２００９−２７３８４３は切断部で指を損傷する危険が懸念される。
【発明の開示】
【０００３】上述の欠点を解決する為に、トイレのペパーの使用時に、児童や高齢者、身障者などはペパーの引き出し、切断が不便の為に、取り出しと引き出しの容易化を可能とした発明である。
【課題を解決するための手段】
【０００４】［請求項１］
［図−１］にて、説明をする  本体（１）は押さえ具（２）を具備し本体（１）の有する支点（１−１）押さえ具（２）が有するツマミ（５）にて、上、下、に作動し本体（２）に系着する保持具（２−１）も連動させ、保持具（２−１）が有する跳ね込み具（３）は保持具８２−１）が有する支点（３−１）に連動させさ、同時に跳ね込み具（３）の凸具（３−２）はペパー（７）の面に接し、保持具（２−１）が有するガイド（４）に接して、ペパー（７）は引き出され、切断時は押さえ具（２）のツマミを下げれば押さえ具（２）の有する切断具（２−１）はペパー（７）にて切断され、現在、市販及び公開されているトイレ用ペパーホルダーは前回の使用者が切断したペパーの取り出し口が切断具の内部に隠れているために切断具を持ち上げて切り出し口を指先で探し出して引き出さねばペパーは引き出されない。
公共の施設では切断具が金属製が多く、ペパーを引きだして、横に引くときに金属製の切断具で指先を損傷させる事故もある
児童などは切断に手間取りペパーを次々と引き出して後処理が面倒であり、保育園、幼稚園では、先生がいちいち切断する作業が課せられている。
【発明を実施するための最良の形態】
【００５】以下図を参照しながら説明すると
［図−１］の本体（１）保持する押さえ具の（２）は支点（１−１）にて系着し回動機能を有し、押さえ具（２）には保持具（２−１）と切断具（２−２）具備させ、保持具（２−１）には跳ねだ出し具（３）を有し、保持具（２−１）の支点（３−１）にて支持され跳ね出し具（３）に凸具（３−２）を具備させ、支持棒（４−１）にガイド（４）を保持させ、押さえ具（２）にツマミ（５）系着させ、芯棒（６）にてペパー（７）を装着させて、本体（１）を壁（８）に取り付けられる。
以上の構成であり次に本発明の作動を［図−２］［図−３］にて説明をする。
次に［図−２］にての説明として
押さえ具（２）の上昇を説明すると、本体（１）の有する支点（１−１）は押さえ具（２）が具備するツマミ（５）を上に持ち上げると（Ａ−１）押さえ具（２）は支点（１−１）を基準に（Ａ−２）の作動し、押さえ具（２）に系着する保持具（２−１）上昇し保持具（２−１）が有する跳ね込み具（３）は保持具（３−１）の支点にて前方に（Ｂ−１）移動し跳ね込み具（３）の具備する凸具（（３−２）はペパー（７）に上面に接し（Ｃ）保持具の上昇に伴い（（Ｂ−１）ペパー（７）を回転させ、ペパー（７）を引き出させ（７−１）る。
次に［図−３］にての説明として
押さえ具（２）のツマミ（５）を下に押すと、保持具（２−１）の有する、跳ね込み具（３）は本体に（１）移動し、ペパー（７）から離れ（Ｂ）、ペパー（７）の引き出し部を下に引くと押さえ具（２−１）が有するガイド（４）は支持具（４−１）は、ペパー（７）に接してペパー（７）は引き出され（７−１）、適当な位置で押さえ具（２）を強く推すとお押さえ具（２）が有する、切断具（２−２）で切断する。
切断が終えれば押さえ具（２）はガイド（４）の支持棒（４−１）の作用で定位置に戻り、ガイド（４）は帯電瀬の部材にて構成され静電気の作用で、ペパー（７）の上面を保持しており、押さえ具（２）のツマミ（５）を上下に移動させれば切断個所から、ペパー（７）は下に、流れて少々露出し次の使用者に便利である
次に［図−４］にての説明として
押さえ具（２）が有する保持具（２−１）の詳細で、跳ね込み（３）の作動は支点（３−１）によりペパーから遊離し、保持具（２−１）が有するガイド（４）は支持棒（４−１）にて保持され、ガイド（４）は帯電性（Ｄ−１）の部材で構成され、押さえ具（２）の有す切断具（２−２）とは取り付け位置が（Ｄ−２）隙間があり、ペパー（７）の引き出し（Ｄ）時はガイド（４）に接してる、切断後は隙間が生じ押さえ具（２）が上昇すればガイド（４）の帯電性の部材の静電気で、ペパー（７）の切断個所の上麺を離反させ、ガイド（４）に吸着されたペパー（７）は巻き離れる
ツマミ（５）を再度、上、下、に作動させればペパー（７）の切り口は下に流れ、切断個所が露出され、次の使用者は切断ペパー（７）を引き出すのが容易である。
押さえ具（２）に系着される保持具（２−１）とツマミ（５）は製造時の固定取り付けと、保持具（２−１）と跳ね込み具（３）ガイド（４）をセツトとして両面テープなどで系着される簡易系着と分類される。
【発明の効果】
【００６】▲１▼使用者が従来のペパー切断個所を指先で探さずに引き出される。
▲２▼既設のペパーホルダーに簡易系着タイプは容易に取り付けが可能である。
▲３▼固定タイプは公共施設のトイレでは機器の盗難は防止できる。
▲４▼園児や児童にも使用が可能である。
▲５▼緊急の場合でも従来の金属製の切断具に手の指先の切傷事故が防止される。
【図面の簡単な説明】
【０００９】
【図−１】  本発明の側面断面図に
【図−２】  本発明の上昇側面断面図
【図−３】  本発明の下降側面側面断面図
【図−４】  本発明の機能説明の詳細側面断面図
【符号の説明】
【００７】図面の補足説明
Ａ＝ツマミ  Ａ−１＝ツマミ上昇  Ａ−２押さえ具上昇  Ｂ＝跳ね込み具戻り  Ｂ−１＝跳ね込み具移動  Ｂ−２＝跳ね込み具のペパーの回転  Ｃ＝ペパーの回転方向  Ｄ＝ペパーの引き出し方向  Ｄ−１＝ガイドに接するペパー  Ｄ−２＝切断具とガイドの隙間
図面番号の説明
本体＝（１）  支点＝（１−１）  押さえ具＝（２）  保持具＝（２−１）  切断具（２−２）  跳ね込み具＝（３）  跳ね込み具作動支点（３−１）  跳ね込み具が有する凸具（３−２）  ガイド（４）  ガイドの支持棒（４−１）  ツマミ＝（５）  ペパーの芯棒＝（６）  ペパー（７）  ペパーの回転方向＝（７−１）  取り付け壁＝（８）
【図−１】
2017225789.tif 000003
【図−２】
2017225789.tif 000004
【図−３】
2017225789.tif 000005
【図−４】
2017225789.tif 000006